(57)【特許請求の範囲】
【請求項１】
情報処理装置本体と、一対のヒンジ機構により前記情報処理装置本体後端に開閉可能に取り付けられた表示部と、前記表示部のヒンジ機構間に設けられた当接部とを有し、前記当接部は、前記表示部が前記情報処理装置本体に重ねられるように閉じたときには、前記表示部のヒンジ機構間のたわみ防止となり、前記表示部を開いた時には、前記表示部の開き角度を制限するストッパーとなることを特徴とする情報処理装置。
【請求項２】
情報処理装置本体後端のヒンジ機構間の切り欠き部に電池が配置され、前記電池は前記情報処理装置本体後端から外側方向へ移動して着脱可能となっており、着脱の際、当接部に接触することにより、電池および表示部の表面を傷つけないようにしたことを特徴とする請求項１記載の情報処理装置。
【発明の詳細な説明】
【０００１】
【発明の属する技術分野】
本発明は、ヒンジ機構により表示部を開閉するようにした情報処理装置に関するものである。
【０００２】
【従来の技術】
従来、ノート型パソコンなどの情報処理装置では、情報処理装置本体にヒンジ機構によって表示部が開閉可能に設けられていた。
【０００３】
図３及び図４はそのような従来の情報処理装置を示すもので、図３は表示部を開いた状態の外観斜視図、図４（ａ）は表示部を開いた状態の側面断面図、図４（ｂ）は表示部を閉じた状態の側面断面図である。図において、２１は情報処理装置本体、２２は情報処理装置本体２１後端に一対のヒンジ機構２３で開閉可能に取り付けられた表示部で、液晶表示装置２４が内蔵されている。２５は表示部２２を一定角度で止めるストッパー部で、当接する相手側が傷つかないようにするため硬質のゴムが使用されている。ストッパー部２５を設ける理由は、開き角度を規制しない場合、開閉角度が１８０度以上になり、表示部２２が机等にあたって傷がつくだけでなく、情報処理装置本体２１内部の回路と表示部２２内部の液晶表示装置２４などの回路とを電気的に接続するケーブル（図示せず）の屈曲信頼性等が低下する。このため、回動範囲を出来る限り最小にしていくには、ある一定角度で表示装置を止める必要性がある。また、２６は情報処理装置本体２１後端のヒンジ機構２３間の切り欠き部２１ａに配置された電池で、情報処理装置本体２１後端から外側方向へ移動して着脱可能となっている。電池２６は、情報処理装置全体の厚みを最小限とするため、電池のセル２６ａが収納された電池ケースの高さ方向の厚みと、表示部２２の厚みが情報処理装置全体の厚みとなるようにしている。このため、電池２６と表示部２２の間に壁は設けられていない。
【０００４】
以上のように構成された情報処理装置において、表示部２２が回動して一定角度まで開いたとき、表示部２２が情報機器装置本体２１へ当たる前に、ストッパー部２５が当たり、表示部２２の開き角度が規制される。また、交換等で電池２６を着脱する際は表示部２２を情報処理装置本体２１に重ねるように閉じた状態で行う。
【０００５】
【発明が解決しようとする課題】
このような上記従来の情報処理装置においては下記に挙げる課題があった。
【０００６】
（１）近年の情報処理装置の軽量・薄型化のため表示部２２の筐体も薄くなっており、表示部２２を閉じて携帯する際に、情報処理装置本体２１後端のヒンジ機構２３間を持つと、ペコペコした状態でヒンジ機構２３間の表示部２２の筐体にたわみが発生して、保持した時のフィーリングが悪くなると同時に、液晶表示装置２４へ多大な荷重が加わってしまう。この対策としては、筐体の厚さを増すか、補強板等を追加する方法があるが、いずれも軽量・薄型化の方向に逆行してしまう。一方、表示部２２に内蔵される液晶表示装置２４においても、軽量化等で液晶ガラスの厚みが薄くなっており、液晶ガラスの強度確保も重要な課題である。表示部２２の筐体がたわむことにより、割れなどの破損を生じる恐れがあった。一般に、厚み方向の強度は、厚みの３乗に起因しているので、軽量化で効果がある厚みを薄くするためには、別の方法で強度を確保していく必要がある。ガラス破損の場合は、たわみ量に起因しているので、たわみを発生させる要因を出来る限り排除していく必要がある。
【０００７】
（２）情報処理装置本体２１後端のヒンジ機構２３間の切り欠き部２１ａに配置された電池２６が、情報処理装置本体２１後端から外側方向へ移動して着脱する際、表示部２２の主平面、場合によっては液晶表示装置２４の表示面を傷つけてしまう恐れがあった。この場合においても、電池２６と表示部２２の間に情報処理装置本体２１の筐体を防護壁として設けようとすれば情報処理装置全体の厚さが厚くなってしまう。
【０００８】
本発明は、情報処理装置全体の厚さを厚くすることなく、簡単な構成で、表示部が情報処理装置本体に重ねられるように閉じたときには表示部のたわみ防止と、表示部が開いた時には表示部の開き角度を規制するストッパーの機能を備え、さらには電池を着脱する際に表示部を傷つけることのない情報処理装置を提供することを目的とする。
【０００９】
【課題を解決するための手段】
この課題を解決するために本発明の情報処理装置は、表示部のヒンジ機構間に当接部を有し、表示部を閉じたときには、表示部筐体のたわみ防止となり、表示部が開いた時には、開き角度を規制するストッパーとなることが出来るようにしたものである。
【００１０】
これにより、表示部を閉じて携帯するときには、手で持った時のフィーリングが悪くなることがなくなると同時に、液晶表示装置２４に多大な荷重が加わることもなく、開き角度も規制することが出来る。さらには、電池を着脱する際に表示部を傷つけることのない情報処理装置が得られる。
【００１１】
【発明の実施の形態】
本発明の請求項１に記載の発明は、情報処理装置本体と、一対のヒンジ機構により前記情報処理装置本体後端に開閉可能に取り付けられた表示部と、前記表示部のヒンジ機構間に設けられた当接部とを有し、前記当接部は、前記表示部が前記情報処理装置本体に重ねられるように閉じたときには、前記表示部のヒンジ機構間のたわみ防止となり、前記表示部を開いた時には、前記表示部の開き角度を制限するストッパーとなることを特徴とする情報処理装置としたものであり、手で保持した時のフィーリングが悪くなることがなくなると同時に、液晶表示装置２４に多大な荷重が加わることもなく、開き角度も規制することが出来るという作用を有する。
【００１２】
請求項２に記載の発明は、請求項１記載の情報処理装置において、情報処理装置本体後端のヒンジ機構間の切り欠き部に電池が配置され、前記電池は前記情報処理装置本体後端から外側方向へ移動して着脱可能となっており、着脱の際、当接部に接触することにより、電池および表示部の表面を傷つけないようにしたことを特徴とするものであり、電池を着脱の際、当接部が電池と当たり、電池および表示部を傷つけないという作用を有する。
【００１３】
以下に、本発明の実施の形態を図１と図２を用いて説明する。
【００１４】
（実施の形態１)
図１は、本発明の一実施の形態の情報処理装置を示すもので、図１は表示部を開いた状態の外観斜視図、図２（ａ）は表示部を開いた状態の側面断面図、図２（ｂ）は表示部を閉じた状態の側面断面図である。図において、１は情報処理装置本体で、筐体が樹脂や金属（マグネシウム、アルミニウム、亜鉛等）で構成されている。２は情報処理装置本体１後端に一対のヒンジ機構３で開閉可能に取り付けられ、回転軸３ａを中心に回動する表示部で、液晶表示装置４が内蔵されている。５は表示部２を一定角度で止めるストッパー部で、ゴム、クッションあるいは、樹脂等で構成されており、情報機器装置本体１と接触した際、傷つきにくく、相手側も傷つけることのない材料である。また、６は情報処理装置本体１後端のヒンジ機構３間の切り欠き部１ａに配置された情報処理装置を駆動する際の電池で、情報処理装置本体１後端から外側方向へ移動して着脱可能となっている。
【００１５】
以上のように構成された本発明の情報処理装置についてその動作を説明する。表示部２は情報処理装置本体１に対して回転軸３ａを中心に回動し、図２（ａ）に示すように、ストッパー部５が情報処理装置本体１に当接した位置で止められる。そして、この開閉角度で情報処理装置を使用することができる。
【００１６】
次に、図２（ｂ）に示すように、携帯時など表示部２を閉じた状態では、表示部２のストッパー部５が情報処理装置本体１の上面部に接触するかストッパー部５と上面部の隙間がほとんど出来ないようになっている。そして、表示部２の外部から矢印Ｆ方向の荷重を受けた場合でも、ストッパー部５と情報処理装置本体１の上面部との間に隙間がほとんどないため、表示部２の筐体のたわみ量が少ない。このため、携帯する際に、情報処理装置後端のヒンジ機構間を手で保持した場合にペコペコした感触とならず、しっかりした感触となる。また、表示部２に内蔵される液晶表示装置４の液晶ガラスに対しても表示部２の筐体のたわみによる影響が少なく、したがって、薄く軽量化された液晶ガラスでも割れなどの発生を抑えることができる。
【００１７】
次に、電池６を交換等のために着脱する際は、表示部を閉じた図２（ｂ）の状態で行う。本実施の形態でも従来例と同様、情報処理装置全体の厚みを最小限とするため、電池のセル６ａが収納された電池ケースの高さ方向の厚みと、表示部２の厚みが情報処理装置全体の厚みとなるようにしている。このため、電池６と表示部２の間に壁がないが、本実施の形態の場合、ストッパー部５と電池６が接触するため、電池６と表示部２のどちらも傷がつくことはない。
【００１８】
【発明の効果】
以上のように本発明によれば、表示部のヒンジ機構間に当接部を有し、表示部を閉じたときには、表示部筐体のたわみ防止となり、表示部が開いた時には、開き角度を規制するストッパーとなることが出来るようにすることにより、表示部を閉じて携帯するときには、手で持った時のフィーリングが悪くなることがなくなると同時に、液晶表示装置に多大な荷重が加わることもなく、開き角度も規制することが出来、さらには、電池を着脱する際に電池および表示部を傷つけることのない情報処理装置が得られる。
【図面の簡単な説明】
【図１】本発明の一実施の形態の情報処理装置の表示部を開いた状態の外観斜視図
【図２】本発明の一実施の形態の情報処理装置の表示部を開いた状態の側面断面図および表示部を閉じた状態の側面断面図
【図３】従来の情報処理装置の表示部を開いた状態の外観斜視図
【図４】従来の情報処理装置の表示部を開いた状態の側面断面図および表示部を閉じた状態の側面断面図
【符号の説明】
１  情報処理装置本体
１ａ  切り欠き部
２  表示部
３  ヒンジ機構
３ａ  回転軸
４  液晶表示装置
５  ストッパー部
６  電池
【図１】
0003975754.tif 000002
【図２】
0003975754.tif 000003
【図３】
0003975754.tif 000004
【図４】
0003975754.tif 000005